(57)【要約】　　　（修正有）【課題】円筒状のグラビア版、フレキソ版、エンドレスオフセット版、ロータリースクリーン版の製造に適用でき、回転方向一周塗りを軸方向ステップ送りして反復する方式により、ピンホールが生じない良好な全面塗膜又はネガマスク又はポジマスクをプリントする。【解決手段】円筒体チャック手段により円筒状の被塗膜形成体を周速が所要の一定速となるように回転し、被塗膜形成体の軸方向に所定ピッチで配列される多数のインクジェットノズルを有するプリンタヘッドを被塗膜形成体の一端に近接し、全面塗膜又はネガマスク又はポジマスクの画像データの各単位塗り線に割り当てられたデジタルデータ信号に基づき各インクジェットノズルから単位塗り線の幅で被塗膜形成体を一巻き塗り分の塗膜形成インクを噴射し、プリンタヘッドを被塗膜形成体の軸方向に歩進して一巻き塗り分の塗膜形成インクの噴射を反復し、全面塗膜又はネガマスク又はポジマスクをプリントする。【選択図】　図１
2004082642.tif 000002
【特許請求の範囲】
【請求項１】
円筒体チャック回転手段により円筒状の被塗膜形成体を両端チャックして、コンピュータに被塗膜形成体の直径Ｄを入力してコンピュータで被塗膜形成体の周速がインクジェットプリンタのインクジェットノズルからインクを噴射して連鎖状に重ねて線を形成する速度と一致するように毎分回転数Ｎ（ｒ．ｐ．ｍ）を算出して該毎分回転数Ｎで被塗膜形成体を回転し、そして、被塗膜形成体の軸方向に所定ピッチで配列されそれぞれから塗膜形成インクを噴射すると連鎖状に重なり被塗膜形成体の母線長さに略等しい長さの単位塗り線が形成される多数のインクジェットノズルを重なり被塗膜形成体の母線と平行に一列状又は千鳥配列状に有するプリンタヘッドを被塗膜形成体の一端に近接し、全面塗膜又はネガマスク又はポジマスクの画像データの各単位塗り線に割り当てられたデジタルデータ信号に基づいて各インクジェットノズルから単位塗り線の幅で被塗膜形成体を一巻き塗りする長さだけ塗膜形成インクを噴射し又は噴射を休止し、もって全面塗膜又はネガマスク又はポジマスクをプリントすることを特徴とするインクジェットプリンタによる円筒状の被塗膜形成体の塗膜形成方法。
【請求項２】
原反リールから自己発塵性がないワイピングクロスのテープを繰り出して回転される被塗膜形成体の一端に摺接して走行させて巻き取りを行ないテープで被塗膜形成体に付着している汚れや油脂を拭浄する拭浄ヘッドを［請求項１］に記載の被塗膜形成体の下側に備えて被塗膜形成体の下面一端に対応して上昇しテープを摺接して他端まで移動しテープで被塗膜形成体に付着している汚れや油脂を拭浄してから、前記の全面塗膜又はネガマスク又はポジマスクをプリントすることを特徴とする［請求項１］に記載のインクジェットプリンタによる円筒状の被塗膜形成体の塗膜形成方法。
【発明の詳細な説明】
【０００１】
【発明が属する技術分野】
本願発明は、径が種々に異なる円筒状の被塗膜形成体であるグラビア版、フレキソ版、エンドレスオフセット版、ロータリースクリーン版の製造に適用でき、回転方向一周塗りを行なって、ピンホールが生じない良好な全面塗膜又はネガマスク又はポジマスクを極めて高速にプリントすることができる、インクジェットプリンタによる円筒状の被塗膜形成体の塗膜形成方法に関する。
【０００２】
【従来の技術】
従来のフォトリソグラフィー法のグラビア製版方法は、被製版ロールに感光膜を塗布形成し、レーザー露光により潜像を形成し、現像してネガレジストマスクを形成し、厚付硫酸銅メッキの露出面をエッチングしてセルを形成しレジスト画像を除去し最後にクロムメッキしてなる。
【０００３】
従来のフレキソ製版方法は、ロールの外周に紫外線感光性のフレキソ剤をエンドレスに形成しブラックコートしてレーザーアブレーションによりネガマスクを形成し紫外線を全面照射してから現像して非画線部の彫り込みを行なうものであるか、又は、ロールの外周に加熱昇華性のフレキソ剤をエンドレスに形成しレーザーをネガ画像となるように照射して彫り込みを行なうものである。
【０００４】
従来のオフセット印刷は、アルミニュームの薄板に形成した親水性の被膜にレーザーをポジ画像となるように照射してレーザー照射部分を油性インキが付着できる感脂性とするものである。
【０００５】
従来のロータリースクリーンの製版は、ステンレスロールにメッキ液に侵食されない感光膜を塗布形成し、焼き付け現像してポジレジストを残してから延展性を有するニッケルメッキを極めて厚く付けて、圧力を加えてステンレスロールからニッケルスリーブを剥離して両端にスリーブ保持材を固定してなるものである。
【０００６】
【発明が解決しようとする課題】
フォトリソグラフィー法でおいて、グラビア版、フレキソ版、オンデマンドオフセット版、ロータリースクリーン版を製造する際に問題になるのは、感光膜等を塗布するときのピンホールの発生を如何に回避することができるかが大きな問題になっている。
【０００７】
他方、コンピューター・トウ・プレートが要望されている。
インクジェットプリンタによる円筒状の被塗膜形成体に塗膜を形成する方法については、所定ピッチで一列に配列されそれぞれから塗膜形成インクを噴射すると連鎖状に重なり一定長さの単位塗り線が形成される多数のインクジェットノズルを有するプリンタヘッドがラスタースキャン方式でテキスタイルのプリントに実用化されており、このプリンタヘッドを多数用いて、ラスタースキャン方式ではない方式で全面塗膜又はネガマスク又はポジマスクをプリントする技術が求められている。
【０００８】
本願発明は、径が種々に異なる円筒状の円筒状の被塗膜形成体であるグラビア版、フレキソ版、エンドレスオフセット版、ロータリースクリーン版の製造に適用でき、所定ピッチで一列に配列されそれぞれから塗膜形成インクを噴射すると連鎖状に重なり一定長さの単位塗り線が形成される多数のインクジェットノズルを有するプリンタヘッドを多数用いて、回転方向一周塗りを行なって、ピンホールが生じない良好な全面塗膜又はネガマスク又はポジマスクを極めて高速にプリントすることができる、インクジェットプリンタによる円筒状の被塗膜形成体の塗膜形成方法を提供するものである。
【０００９】
【課題を解決するための手段】
［請求項１］に記載の発明は、円筒体チャック回転手段により円筒状の被塗膜形成体を両端チャックして、コンピュータに被塗膜形成体の直径Ｄを入力してコンピュータで被塗膜形成体の周速がインクジェットプリンタのインクジェットノズルからインクを噴射して連鎖状に重ねて線を形成する速度と一致するように毎分回転数Ｎ（ｒ．ｐ．ｍ）を算出して該毎分回転数Ｎで被塗膜形成体を回転し、そして、被塗膜形成体の軸方向に所定ピッチで配列されそれぞれから塗膜形成インクを噴射すると連鎖状に重なり被塗膜形成体の母線長さに略等しい長さの単位塗り線が形成される多数のインクジェットノズルを重なり被塗膜形成体の母線と平行に一列状又は千鳥配列状に有するプリンタヘッドを被塗膜形成体の一端に近接し、全面塗膜又はネガマスク又はポジマスクの画像データの各単位塗り線に割り当てられたデジタルデータ信号に基づいて各インクジェットノズルから単位塗り線の幅で被塗膜形成体を一巻き塗りする長さだけ塗膜形成インクを噴射し又は噴射を休止し、もって全面塗膜又はネガマスク又はポジマスクをプリントすることを特徴とするインクジェットプリンタによる円筒状の被塗膜形成体の塗膜形成方法を提供することにある。
［請求項２］に記載の発明は、反リールから自己発塵性がないワイピングクロスのテープを繰り出して回転される被塗膜形成体の一端に摺接して走行させて巻き取りを行ないテープで被塗膜形成体に付着している汚れや油脂を拭浄する拭浄ヘッドを［請求項１］に記載の被塗膜形成体の下側に備えて被塗膜形成体の下面一端に対応して上昇しテープを摺接して他端まで移動しテープで被塗膜形成体に付着している汚れや油脂を拭浄してから、前記の全面塗膜又はネガマスク又はポジマスクをプリントすることを特徴とする［請求項１］に記載のインクジェットプリンタによる円筒状の被塗膜形成体の塗膜形成方法を提供することにある。
【００１０】
【発明の実施の形態】
本願発明のインクジェットプリンタによる円筒状の被塗膜形成体の塗膜形成方法を製版用インクジェットプリンタ装置を参照して説明する。
図１は、本願発明の製版用インクジェットプリンタ装置の正面図を示す。
図２は、拭浄ヘッドの作業開始前の要部の拡大側面図である。
図３は、拭浄ヘッドの作業中の要部の拡大側面図である。
この実施の形態のインクジェットプリンタによる円筒状の被塗膜形成体の塗膜形成方法は、
ロールチャック回転手段３により被塗膜形成体Ｒを両端チャックして径Ｄ及び長さＬを入力する。
拭浄に適切な回転数を算出して被塗膜形成体Ｒを回転して拭浄ヘッドで回転される被塗膜形成体Ｒの一端から他端まで拭浄を行ない、次いで、被塗膜形成体Ｒの毎分回転数をＮ（ｒ．ｐ．ｍ）として回転して、プリンタヘッド２２を近接しインキジェットノズル２２ｉから塗膜形成インキを被塗膜形成体Ｒの１回転だけ噴射して被塗膜形成体Ｒに全面塗膜又はネガマスク又はポジマスクがプリントするものである。
ロールチャック回転手段３により被塗膜形成体Ｒを両端チャックして径Ｄ及び長さＬをコンピュータに入力すると、コンピュータは、先ず、拭浄に適切な回転数を算出するための計算を行なう。この計算は、被塗膜形成体Ｒの径が大小いかようであっても周速が一定となるように回転数を決定するものである。
拭浄は、原反リール１３から自己発塵性がないワイピングクロスのテープＴを繰り出して回転される被塗膜形成体Ｒの一端に摺接して走行させて巻き取りを行ないテープＴで被塗膜形成体Ｒに付着している汚れや油脂を拭浄する拭浄ヘッドを被塗膜形成体Ｒの下側に備えて被塗膜形成体Ｒの下面一端に対応して上昇しテープＴを摺接して他端まで移動しテープＴで被塗膜形成体Ｒに付着している汚れや油脂を拭浄する。
拭浄後は、重なり被塗膜形成体の母線長さに略等しい長さの単位塗り線が形成される多数のインクジェットノズル２２ｉを有するプリンタヘッド２２により被塗膜形成体Ｒの１回転だけプリントを行なうために、コンピュータに被塗膜形成体Ｒの直径Ｄを入力してコンピュータで被塗膜形成体Ｒの周速がインクジェットプリンタ２２のインクジェットノズル２２ｉからインクを噴射して連鎖状に重ねて線を形成する速度と一致するように毎分回転数Ｎ（ｒ．ｐ．ｍ）を算出して該毎分回転数Ｎで被塗膜形成体Ｒを回転する。
そして、プリンタヘッド２２を被塗膜形成体Ｒの一端に近接し、被塗膜形成体Ｒの１回転だけプリントを行なって、全面塗膜又はネガマスク又はポジマスクの画像データの各単位塗り線分に割り当てられたデジタルデータ信号に基づいて各インクジェットノズル２２ｉから単位塗り線の幅で塗膜形成インクを噴射し又は噴射を休止し、直線状にプリントを行なう。
以下、詳述する。
【００１１】
先ず、被塗膜形成体Ｒを両端チャックして回転する構造部分について説明する。
図１において、符号１のケーシングは、前面上部にロール出し入れ用開口１ａを有するとともに上昇してロール出し入れ用開口１ａを閉じるロール出し入れ用扉２を有している。
ケーシング１内には円筒体チャック回転手段３が備えられている。円筒体チャック回転手段３は、モータ（図示しない）により回転駆動される駆動側チャック３ａと、可動テーブル３ｂに設けられロール長さに対応して移動しテイルチャック３ｃとで被塗膜形成体Ｒをチャックすることができ被塗膜形成体Ｒの径の入力により所要低速度例えば周速が０．５ｍ／ｓとなる回転数を算出して該回転数で回転するようになっている。
この実施の形態にかかる被塗膜形成体Ｒは、１００φｍｍ×８００ｍｍ〜３００φｍｍ×２０００ｍｍの大きさのグラビア印刷用のスリーブ型の被製版ロールである。
可動テーブル３ｂを移動する構成は、ケーシング１の後面壁に設けられた横方向の直動ガイド３ｄに可動テーブル３ｂが案内されているとともに、直動ガイド３ｄの間に設けられたボールねじ３ｅに螺合するボールナット３ｆが可動テーブル３ｂに設けられていて、サーボモータ３ｇによりボールねじ３ｅが回転されボールナット３ｆがランナーになる構成である。
【００１２】
続いて、被塗膜形成体Ｒを拭浄する装置部分について説明する。
円筒体チャック回転手段３にチャックされた被塗膜形成体Ｒの下側には、レール４上に載置された移動台５がボールねじ駆動により被塗膜形成体Ｒに沿って往復移動することができ、移動台５上に装備された昇降テーブル６に可動ブラケット７が設けられ、該可動ブラケット７に拭浄ヘッドが装備されている。
昇降テーブル６を昇降する構成は、移動台５に設けられた縦方向の直動ガイド８に昇降テーブル６が案内されているとともに、ボールねじ（図示しない）が移動台５に縦軸となるように設けられかつ該ボールねじに螺合するボールナット（図示しない）が昇降テーブル６に設けられていて、サーボモータ（図示しない）によりボールねじが回転されボールナットがランナーになる構成である。
可動ブラケット７は、上記の昇降を行なう昇降テーブル６に対してさらに昇降する構成である。可動ブラケット７を昇降する構成は、昇降テーブル６に設けられた雌ガイド９に可動ブラケット７に設けられた雄ガイド１０が案内されているとともに、昇降テーブル６と可動ブラケット７とがシリンダ装置１１で連結され、シリンダ装置１１の伸縮により可動ブラケット７が昇降テーブル６に対して昇降する構成である。
可動ブラケット７は、シリンダ装置１１が伸張作動することにより昇降テーブル６よりも先に上昇するようになっており、次いで、昇降テーブル６が昇降したときに、円筒体チャック回転手段３によりチャックされた被塗膜形成体Ｒを受け入れる湾部７ａを有している。
可動ブラケット７には、湾部７ａの中央部に対応して近接センサー１２が付設されている。近接センサー１２は湾部７ａに受け入れる被塗膜形成体Ｒの下面とのギャップが例えば３ｍｍになったときに検出信号を出力するようになっており、この検出信号に基づいて、昇降テーブル６が上昇停止するようになっている。
従って、シリンダ装置１１の伸張により可動ブラケット７を大きく上昇ストロークさせ、次いで、被塗膜形成体Ｒを径の大小に関らず可動ブラケット７の湾部７ａに最大に入れるための、可動ブラケット７の被塗膜形成体Ｒの径に応じたストロークを昇降テーブル６に分担させて、動作時間の短縮と位置決めストロークの短小化が図られている。
移動台５の移動速度は被塗膜形成体Ｒが１回転すると例えば８〜１０ｍｍ移動するように被塗膜形成体Ｒの回転数に応じて替えられる。
【００１３】
拭浄ヘッドは、可動ブラケット７に取付けた原反リール１３から自己発塵性がないワイピングクロスのテープＴを繰り出して可動ブラケット７の湾部７ａを挟む対抗部に備えた一対のガイドロール１４，１５に掛け渡して、テープＴを第１のトルクモータ１６により回転駆動される巻き取りボビン１７に巻き取るとともにガイドロール１４に対してシリンダ装置２０によりニップ圧を付与される制動用フリーロール２１を押し付けてテープＴを挟圧してかつガイドロール１４の回転に制動を与えることにより原反リール１３からのテープＴの繰り出しに制動を加えるように構成されている。
制動用フリーロール２１は、ガイドロール１４に対して例えば０．５ｍｍ離れるように軸部と軸受に遊びがあり、シリンダ装置２０が伸張作動により制動用フリーロール２１が付勢され、制動用フリーロール２１がガイドロール１４に対してニップ圧を加えるようになっている。
円筒体チャック回転手段３は、第１のトルクモータ１６に負荷がかかるように、原反リール１３から繰り出されるテープＴの走行方向とは逆方向に被塗膜形成体Ｒを回転するようになっている。
【００１４】
リワインダー軸１８は、第２のトルクモータ１９の出力軸に連結解離でき、軸方向に引き抜いて取外すことが出来るように構成され、原反リール１３の中心孔を嵌挿支持している。第２のトルクモータ１９は、第１のトルクモータ１６よりもトルクが小さくて原反リール１３からのテープＴの繰り出しに制動を与える方向に回転駆動するように設けられている。
第１のトルクモータ１６により原反リール１３からのテープＴの繰り出しが行なわれるから、第２のトルクモータ１９は、駆動が与えられている回転方向とは逆にクリープ回転することでテープＴの繰り出しに制動を与えることができる。
従って、テープＴの繰り出しに制動を与えることは、シリンダ装置２０によりニップ圧を付与される制動用フリーロール２１でガイドロール１４を押圧することと第２のトルクモータ１９の共同作用により行なわれる。
【００１５】
ワイピングクロスは、超極細長繊維のポリエステル又はポリエステルとナイロンからなり自己発塵性がないクロスである。好適なワイピングクロスとしては、カネボウ株式会社のワイピングクロスのサヴィーナミニマックス（登録商標）があり、これは、０．１デニール（１〜５μｍの太さ）の超極細繊維であり、長繊維であるポリエステルとナイロンからなり、原糸断面がくさび状であり、埃を取り込み、自己発塵性がないクロスである。他に、東レ株式会社のワイピングクロスは超極細長繊維のポリエステルからなり自己発塵性がないクロスであり、適用可能である。
原反リール１３は、ワイピングクロスのテープＴをボビンに巻いたものであり、カネボウ株式会社製あるいは東レ株式会社製のものを購入使用できる。
【００１６】
拭浄ヘッドによる作用を詳述する。
原反リール１３を取付けてワイピングクロスのテープＴを制動用フリーロール２１を巻いてガイドロール１４，１５に掛け渡してテープ繰り出し端を巻き取りボビン１７に巻き付ける。
円筒体チャック回転手段３が被塗膜形成体Ｒをチャックする。次いで、移動台５が被塗膜形成体Ｒの一端に対応する位置に移動する。
シリンダ装置１１を伸張して可動ブラケット７を昇降テーブル６に対して上昇し、次いで、昇降テーブル６が上昇していき、可動ブラケット７の湾部７ａに被塗膜形成体Ｒが相対的に入り込み被塗膜形成体Ｒの下面とのギャップが例えば３ｍｍになったときに近接センサー１２が検出信号を出力して昇降テーブル６が上昇停止する。
昇降テーブル６の上昇と略同時に、第１のトルクモータ１６と第２のトルクモータ１９が駆動し、シリンダ装置２０が伸張作動して、ワイピングクロスのテープＴにテンションが加わりテープ走行が開始する。
昇降テーブル６が上昇すると、被塗膜形成体Ｒがガイドロール１４，１５に掛け渡されたテープＴに接触して可動ブラケット７の湾部７ａに相対的に入り込んできて、テープＴが被塗膜形成体Ｒの周面を摺接走行する。被塗膜形成体Ｒの回転はテープＴの走行方向とは逆方向となる。従って、テープＴがテンションを弛めないで回転する被塗膜形成体Ｒに摺接走行して被塗膜形成体Ｒに付着している汚れや油脂の拭浄を開始する。
昇降テーブル６が上昇を停止して、数秒経過後に移動台５が被塗膜形成体Ｒの一端に対応する位置から他端に対応する位置まで移動する。従って、ワイピングクロスのテープＴによる拭浄が被塗膜形成体Ｒの一端から他端まで行なわれる。
次いで、昇降テーブル６が下降復帰してからシリンダ装置１１が縮小して可動ブラケット７を昇降テーブル６に対して下降し、ガイドロール１４，１５に掛け渡されたテープＴが被塗膜形成体Ｒから離れて水平に張った状態に戻った時点で第１のトルクモータ１６と第２のトルクモータ１９が駆動停止し、シリンダ装置２０が縮小作動して、テープ走行が停止し、移動台５が元位置へ復帰移動する。
【００１７】
続いて、被塗膜形成体Ｒに各インクジェットノズルから塗膜形成インクを噴射し又は噴射を休止することにより全面塗膜又はネガマスク又はポジマスクをプリントするプリンタ部分について説明する。
円筒体チャック回転手段３にチャックされた被塗膜形成体Ｒの上側にはプリンタヘッド２２が装備されている。プリンタヘッド２２は、ケーシング１の後面部に取着されたプリンタヘッド取付フレーム２２ａと、プリンタヘッド取付フレーム２２ａに設けられた縦ガイド２２ｂ，２２ｂに係合しかつサーボモータ２２ｃにより回転される縦ねじ軸２２ｄ及びチェーン巻掛機構２２ｅを介して回転される縦ねじ軸２２ｆに螺合され昇降自在である昇降フレーム２２ｇと、昇降フレーム２２ｇに取着されたインクジェットプリンタ用の制御基板２２ｈと、制御基板２２ｈによって噴射制御される多数のインクジェットノズル２２ｉとからなる。
多数のインクジェットノズル２２ｉは、円筒体チャック回転手段３にチャックされ得る最大長さの被塗膜形成体Ｒの長さに略等しい長さに、ノズル先端を被塗膜形成体Ｒの中心に向けて被塗膜形成体Ｒの母線方向に一列状又は千鳥配列に並んでいて、被塗膜形成体Ｒに近接してそれぞれから塗膜形成インクを噴射すると、連鎖状に重なり被塗膜形成体Ｒの長さに略等しい長さの単位塗り線が形成できる関係ピッチに配設されている。
図４は、全数のインクジェットノズルが同じに噴射して描かれるドットの配列を示す図である。インクジェットノズル２２ｉの配列は図４から分るように種々考えられる。
図４（ａ）は、各ノズルからインキを噴射して直径１２０μｍの円形塗りが行なえる３０００１個のノズルが５０μｍピッチで一列に設けられ、１５０ｍｍの長さの被塗膜形成体Ｒに１周塗りの全面塗りができる。
図４（ｂ）は、各ノズルからインキを噴射して直径１２０μｍの円形塗りが行なえる一列に１５００１個のノズルが１００μｍピッチで二列にかつ半ピッチずらして千鳥配列に設けられ、被塗膜形成体Ｒに１周塗りの全面塗りができる。
図４（ｃ）は、各ノズルからインキを噴射して直径１２０μｍの円形塗りが行なえる５０１個のノズルが５０μｍピッチで一列に設けられデバイスが、千鳥配列に設けられ、被塗膜形成体Ｒに１周塗りの全面塗りができる。
なお、図４（ｂ）と図４（ｃ）において、被塗膜形成体Ｒの回転方向下流側の列の各ノズルからインキを噴射は他方の列のノズルからの噴射と列を合わせるために遅延処理をかける。
【００１８】
インクジェットノズル２２ｉは、回転される被塗膜形成体Ｒの一端に近接移動し被塗膜形成インク、すなわち、グラビア製版の感光膜全面コート又はネガマスク形成に適用される場合には厚付硫酸銅メッキを腐食する腐食液に対して耐食性を有するインキを噴射し、又、フレキソ製版におけるネガマスク形成に適用される場合には紫外線遮光性を有するインキを噴射し、又、エンドレスオフセット製版のネガマスク形成に適用される場合には親油性若しくは感脂性を有するインキを噴射し、又、ロータリースクリーン製版に適用される場合にはニッケルメッキ浴に対して耐性を有するインキを噴するようになっている。
制御基板２２ｈは、これらのインクジェットノズル２２ｉには、コンピュータ画面でデザインされ色分けされた一色分の全面塗膜又はネガマスク又はポジマスクの画像データの各単位塗り線に割り当てられたデジタルデータ信号に基づいてインク噴射を行なうようになっている。
【００１９】
プリンタヘッド２２は、回転される被塗膜形成体Ｒの一端に近接し、全面塗膜又はネガマスク又はポジマスクの画像データの各単位塗り線に割り当てられたデジタルデータ信号に基づいて各インクジェットノズル２２ｉから単位塗り線の幅で被塗膜形成体を一巻き塗りする長さだけ塗膜形成インクを噴射し又は噴射を休止する。この場合、円筒体チャック回転手段３にチャックされた被塗膜形成体Ｒと一軸一体的に回転する駆動スピンドルに付設するロータリーエンコーダの原点信号に基づいて、塗膜形成インクの噴射を開始し、１回転して噴射を停止する。噴射の開始と噴射の停止におけるインクの重なりはエンドレス処理する。　ワイピングクロスによる拭浄が行なわれてからインキを噴射して版情報を描写するのでピンホールが生じない。
被塗膜形成体Ｒの周速は、各インクジェットノズル２２ｉから所定塗出周波数で噴射するインクの連鎖状の重なりが毎秒一定長さとなるように決定する。本願発明は、径が種々に異なる被塗膜形成体Ｒを扱うために、その都度にコンピュータで被塗膜形成体Ｒの径Ｄを入力し毎分回転数を決定する。
今仮に、塗出周波数１２．８ＫＨＺで各ノズルからインキを噴射して直径１２０μｍの円形塗りを被塗膜形成体Ｒの周方向に１００μｍピッチとなるように塗布するには、被塗膜形成体Ｒの回転数Ｎは、
Ｎ＝（１２８００×１００（μｍ：ピッチ））／（π×Ｄ（被塗膜形成体Ｒの直径：μｍ））×６０（秒）の式より算出する。
【００２０】
プリンタ装置がグラビア製版に適用される場合には、円筒体チャック回転手段３にグラビア印刷用の被製版ロールが両端チャックされ、厚付硫酸銅メッキを腐食する腐食液に対して耐食性を有するインキが貯留されたカートリッジのインクタンクがセットされ、被製版ロールにインキジェットノズル２２ｉでネガマスクが描写される。
グラビア製版は、ネガマスクが描写された被製版ロールにエッチングを行ない、レジスト剥離してクロムメッキを行なって完了する。
なお、感光膜コートに適用される場合には、全面塗布となる。
【００２１】
プリンタ装置がフレキソ製版に適用される場合には、円筒体チャック回転手段３に、外層部が紫外線感光性のフレキソ材で構成されているスリーブ又はロールが両端チャックされ、紫外線遮光性を有するインキが貯留されたカートリッジのインクタンクがセットされ、フレキソ面にインキジェットノズル２２ｉでネガマスクが描写される。
フレキソ製版は、ネガマスクが描写されたフレキソ面に紫外線を照射し、次いで、現像してネガマスクを除去しさらにネガマスクが被っていた箇所を彫り込んで完了する。
他方、カーボンブラックを含んだ水性インキでポジマスクが描写され赤外線で全面照射してポジマスク部分のフレキソ材料を感熱不溶化してその後現像する方式にも適用される。
なお、カーボンブラックを含んだ水性インキで全面塗布され赤外線でレーザーアブレーションされネガマスク残して紫外線を全面照射してその後現像する方式にも適用される。
【００２２】
プリンタ装置がエンドレスオフセット製版に適用される場合には、円筒体チャック回転手段３に、表面が親水性であるスリーブ又はロールが両端チャックされ、親油性若しくは感脂性を有するインキが貯留されたカートリッジのインクタンクがセットされ、フレキソ面にインキジェットノズル２２ｉで親油性若しくは感脂性を有するインキのポジ情報が描写されインキ被着部とされる。エンドレスオフセット版は、オフセット印刷機にセットされ、親水性表面に湿し水が付着され、親油性若しくは感脂性を有するインキからなるインキ被着部にインキが付着して印刷が行なわれる。
【００２３】
プリンタ装置がロータリースクリーン製版に適用される場合には、円筒体チャック回転手段３に、ステンレスロールが両端チャックされ、ニッケルメッキ浴に対して耐性を有するインキが貯留されたカートリッジのインクタンクがセットされ、ロール面にインキジェットノズル２２ｉでポジマスクが描写される。
ロータリースクリーン製版は、ポジマスクが描写されたステンレスロールをニッケルメッキ装置のタンク内のニッケルメッキ浴に浸漬して回転しステンレスロールに極めて厚いニッケルメッキを着け、ニッケルメッキ面に圧力を加えて僅かに延展してステンレスロールからニッケルスリーブとして剥離し、ポジの版情報の孔があいたニッケルスリーブをクロムメッキ装置のタンク内のクロムメッキ浴に浸漬して回転しクロムメッキし両端にスリーブ保持材を固定して完了する。
【００２４】
被塗膜形成体Ｒの径が種々に異なっても、インキジェットノズル２２ｉから噴射するインキの線形成速度に、円筒体チャック回転手段３に両端チャックされる被塗膜形成体Ｒの周面速度を合わせる。又、被塗膜形成体Ｒの径が種々に異なることにより回転速度が異なることに対応して、インキジェットノズル２２ｉの被塗膜形成体Ｒに沿った移動速度を異ならせて被塗膜形成体Ｒの径が種々に異なっても、画素のオーバーラップを同一にする。
【００２５】
【発明の効果】
［請求項１］に記載の発明によれば、
円筒状の被塗膜形成体に対して、所定ピッチで一列に配列されそれぞれから塗膜形成インクを噴射すると連鎖状に重なり一定長さの単位塗り線が形成される多数のインクジェットノズルを有するプリンタヘッドを多数用いて、回転方向一周塗りを行なって、全面塗膜又はネガマスク又はポジマスクをプリントするものであるから、径が種々に異なる被塗膜形成体の感光膜塗布、グラビア版、フレキソ版、オンデマンドオフセット版、ロータリースクリーン版を製造に適用して、良好に迅速・簡便に形成でき、製版に対する高信頼性を確保でき、他方、従来の感光膜塗布と現像工程等の工程を省略できるから、製版時間の大幅な短縮、製版ラインスペースの大幅な縮小につながる。
［請求項２］に記載の発明によれば、
円筒状の被塗膜形成体に対して被塗膜形成体に付着している汚れや油脂をワイピングクロスで拭浄し、その後に、円筒状の被塗膜形成体に対してプリンタヘッドのインクジェットノズルから塗膜形成インキを、回転方向一周塗りを軸方向ステップ送りして反復する方式により、全面塗膜又はネガマスク又はポジマスクをプリントするものであるから、塗膜形成インキを被塗膜形成体に確実に塗布することができ、ピンホール、すなわちインクが塗布されるべき箇所にインキが塗布されていないポイントの発生を極めて高い確率で回避できるで、被塗膜形成体に良好な画素を形成でき、径が種々に異なる被塗膜形成体の感光膜塗布、グラビア版、フレキソ版、オンデマンドオフセット版、ロータリースクリーン版を製造に適用して、ピンホールが生じない良好なネガマスク、又はインキ被着部を極めて良好に迅速・簡便に形成でき、製版に対する高信頼性を確保でき、他方、従来の感光膜塗布と現像工程等の工程を省略できるから、製版時間の大幅な短縮、製版ラインスペースの大幅な縮小につながる。
【図面の簡単な説明】
【図１】本願発明の製版用インクジェットプリンタ装置の正面図を示す。
【図２】拭浄ヘッドの作業開始前の要部の拡大側面図である。
【図３】拭浄ヘッドの作業中の要部の拡大側面図である。
【図４】全数のインクジェットノズルが同じに噴射して描かれるドットの配列を示す図である。
【符号の説明】
１・・・ケーシング、１ａ・・・ロール出し入れ用開口、１ｂ・・・ロール出し入れ用開口、２・・・ロール出し入れ用扉、３・・・円筒体チャック回転手段、３ａ・・・駆動側チャック、３ｂ・・・可動テーブル、３ｃ・・・テイルチャック、Ｒ・・・被塗膜形成体、３ｄ・・・直動ガイド、３ｅ・・・ボールねじ、３ｆ・・・ボールナット、３ｇ・・・可動テーブル、４・・・レール、５・・・移動台、６・・・昇降テーブル、７・・・可動ブラケット、７ａ・・・湾部、８・・・直動ガイド、９・・・雌ガイド、１０・・・雄ガイド、１１・・・シリンダ装置、１２・・・近接センサー、１３・・・原反リール、Ｔ・・・ワイピングクロスのテープ、１４，１５・・・ガイドロール、１６・・・第１のトルクモータ、１７・・・巻き取りボビン、１８・・・リワインダー軸、１９・・・第２のトルクモータ、２０・・・シリンダ装置、２１・・・制動用フリーロール、２２・・・プリンタヘッド、２２ａ・・・プリンタヘッド取付フレーム、２２ｂ・・・縦ガイド、２２ｃ・・・サーボモータ、２２ｄ・・・縦ねじ軸、２２ｅ・・・チェーン巻掛機構、２２ｆ・・・縦ねじ軸、２２ｇ・・・昇降フレーム、２２ｈ・・・制御基板、２２ｉ・・・インクジェットノズル、
【図１】
2004082642.tif 000003
【図２】
2004082642.tif 000004
【図３】
2004082642.tif 000005
【図４】
2004082642.tif 000006